(57)【要約】【課題】大型化を抑制するとともに、疑似的な空を再現することができる光環境演出システム、光環境演出方法及びプログラムを提供する。【解決手段】光環境演出システム１００は、照明空間を形成するように、造営材に配置される照明装置１と、照明空間を形成するように、照明装置１と異なる場所の造営材に配置される他の照明装置１と、各々の照明装置１の動作を制御するシステム制御部１０８とを備える。そして、システム制御部１０８は、少なくとも太陽の方位と高さとによって決定される空の明るさ及び色合いのうち少なくとも一方を示す天空情報に基づいて照明態様を決定し、照明態様に基づいて空を模した照明を各々の照明装置１に行わせる。【選択図】図２
2018170157.tif 000002
【特許請求の範囲】
【請求項１】
照明空間を形成するように、造営材に配置される第１照明装置と、
前記照明空間を形成するように、前記第１照明装置と異なる場所の前記造営材に配置される第２照明装置と、
前記第１照明装置及び前記第２照明装置の動作を制御する制御部とを備え、
前記制御部は、少なくとも太陽の方位と高さとによって決定される空の明るさ及び色合いのうち少なくとも一方を示す天空情報に基づいて照明態様を決定し、前記照明態様に基づいて空を模した照明を前記第１照明装置及び前記第２照明装置に行わせる
光環境演出システム。
【請求項２】
前記制御部は、さらに、少なくとも前記第１照明装置及び前記第２照明装置の各々を、設置した方位、設置した高さ、設置した場所に基づいて、前記第１照明装置及び前記第２照明装置のうちの太陽に近い方を決定し、
前記制御部は、前記決定した太陽に近い方である、前記第１照明装置及び前記第２照明装置のいずれか一方を他方よりも明るく点灯させる
請求項１に記載の光環境演出システム。
【請求項３】
前記造営材は、第１壁部と、前記第１壁部と異なる第２壁部とを有し、
前記第１壁部には、前記第１照明装置が配置され、
前記第２壁部には、前記第２照明装置が配置される
請求項１又は２に記載の光環境演出システム。
【請求項４】
前記制御部は、前記天空情報に基づいて、時間の経過とともに前記第１照明装置及び前記第２照明装置の照明を変化させる
請求項１〜３のいずれか１項に記載の光環境演出システム。
【請求項５】
さらに、前記天空情報を前記制御部に送信する端末機器と、
前記端末機器から前記天空情報を受信して前記制御部に出力する通信部とを備える
請求項１〜４のいずれか１項に記載の光環境演出システム。
【請求項６】
前記端末機器は、前記第１照明装置及び前記第２照明装置の少なくとも取付け方位、取付け高さ及び取付け位置の情報を入力する入力部を有する
請求項５に記載の光環境演出システム。
【請求項７】
前記第１照明装置及び前記第２照明装置の各々は、透光性を有する拡散板と、前記拡散板に青色光を含む光を入射させる光源と、前記光源を制御する照明制御部とを有し、
前記照明制御部は、前記光源が出射する光の出力を変更させる
請求項１〜６のいずれか１項に記載の光環境演出システム。
【請求項８】
照明空間を形成するように、第１照明装置を造営材に配置し、前記照明空間を形成するように、第２照明装置を前記第１照明装置と異なる場所の前記造営材に配置する光環境演出方法であって、
端末機器は、少なくとも太陽の方位と高さとによって決定される空の明るさ及び色合いのうち少なくとも一方を示す天空情報を制御部に送信し、
前記制御部は、前記天空情報に基づいて照明態様を決定し、前記照明態様に基づいて空を模した照明を行う
光環境演出方法。
【請求項９】
請求項８に記載の光環境演出方法をコンピュータに実現させる
プログラム。
【発明の詳細な説明】
【技術分野】
【０００１】
本発明は、光環境演出システム、光環境演出方法及びプログラムに関し、特に、窓の無い会議室、地下街、トンネルなどにおいて、擬似的に屋外光を感じさせる光環境演出システム、光環境演出方法及びプログラムに関する。
【背景技術】
【０００２】
例えば、窓の無い会議室、地下街、トンネルなどでは、屋外光が差し込まない環境であるため、圧迫感及びストレスを感じる場合がある。そこで、このような場所の壁面に擬似的な窓を設け、この窓から擬似的な屋外光を照射させることで、開放感を醸し出し、圧迫感及びストレスを軽減することができる。
【０００３】
例えば特許文献１では、光源と、拡散光を発生する拡散光発生体（拡散板の一例）とを備えた照明システム（第１照明装置又は第２照明装置の一例）が開示されている。
【０００４】
また、例えば特許文献２では、南向きの壁面に設置された人工窓ユニット（第１照明装置の一例）と、西向きの壁面に設置された人工窓ユニット（第２照明装置の一例）とを備えた人工窓装置（光環境演出システムの一例）が開示されている。
【先行技術文献】
【特許文献】
【０００５】
【特許文献１】特開２０１５−２０７５５４号公報
【特許文献２】特開２００１−１７６６７９号公報
【発明の概要】
【発明が解決しようとする課題】
【０００６】
しかしながら、従来の照明システムでは、拡散光発生体の天井上側に設けた光源を、この拡散光発生体から遠く離した状態にしなければ、青空が平面的になるとともに、太陽が拡散光発生体のすぐ近くに存在するように見えるため、擬似的な空を再現することができない。このため、この照明システムによって擬似的な空を再現するには、拡散光発生体から光源を遠く離した状態にしなければならず、その結果として照明システムが大型化してしまう。
【０００７】
そこで、本発明は、大型化を抑制するとともに、疑似的な空を再現することができる光環境演出システム、光環境演出方法及びプログラムを提供することを目的とする。
【課題を解決するための手段】
【０００８】
上記目的を達成するために、本発明に係る光環境演出システムの一態様は、照明空間を形成するように、造営材に配置される第１照明装置と、前記照明空間を形成するように、前記第１照明装置と異なる場所の前記造営材に配置される第２照明装置と、前記第１照明装置及び前記第２照明装置の動作を制御する制御部とを備え、前記制御部は、少なくとも太陽の方位と高さとによって決定される空の明るさ及び色合いのうち少なくとも一方を示す天空情報に基づいて照明態様を決定し、前記照明態様に基づいて空を模した照明を前記第１照明装置及び前記第２照明装置に行わせる。
【０００９】
また、上記目的を達成するために、本発明に係る光環境演出方法の一態様は、照明空間を形成するように、第１照明装置を造営材に配置し、前記照明空間を形成するように、第２照明装置を前記第１照明装置と異なる場所の前記造営材に配置する光環境演出方法であって、端末機器は、少なくとも太陽の方位と高さとによって決定される空の明るさ及び色合いのうち少なくとも一方を示す天空情報を制御部に送信し、前記制御部は、前記天空情報に基づいて照明態様を決定し、前記照明態様に基づいて空を模した照明を行う。
【００１０】
また、上記目的を達成するために、本発明に係るプログラムの一態様は、光環境演出方法をコンピュータに実現させる。
【発明の効果】
【００１１】
本発明によれば、大型化を抑制するとともに、疑似的な空を再現することができる。
【図面の簡単な説明】
【００１２】
【図１】図１は、実施の形態に係る光環境演出システムを示す模式図である。
【図２】図２は、実施の形態に係る照明装置を示すブロック図である。
【図３】図３は、実施の形態に係る照明装置を示す斜視図である。
【図４】図４は、実施の形態に係る照明装置を示す分解斜視図である。
【図５】図５は、図３のＶ−Ｖ線における実施の形態に係る照明装置を示す断面図である。
【図６】図６は、実施の形態に係る光環境演出システムの設定手順を示すフローチャートである。
【図７】図７は、実施の形態に係る光環境演出システムの端末機器を示す正面図である。
【図８】図８は、実施の形態に係る光環境演出システムの動作を示すフローチャートである。
【発明を実施するための形態】
【００１３】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
また、「略＊＊」との記載は、「略同一」を例に挙げて説明すると、全く同一はもとより、実質的に同一と認められるものを含む意図である。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
以下、本発明の実施の形態に係る光環境演出システム、光環境演出方法及びプログラムについて説明する。
【００１７】
（実施の形態）
［構成］
まず、本実施の形態に係る光環境演出システム１００の構成について図１を用いて説明する。
【００１８】
図１は、実施の形態に係る光環境演出システム１００を示す斜視図である。図２は、実施の形態に係る照明装置１を示すブロック図である。図３は、実施の形態に係る照明装置１を示す斜視図である。図４は、実施の形態に係る照明装置１を示す分解斜視図である。図５は、図３のＶ−Ｖ線における実施の形態に係る照明装置１を示す断面図である。
【００１９】
図３では、照明装置１において、光源６１が並ぶ方向をＸ軸方向と規定し、照明装置１と直交する方向をＹ軸方向と規定し、Ｘ軸方向及びＹ軸方向と直交する方向をＺ軸方向とする。そして、図４以降の各図に示す各方向は、図３に示す各方向に対応させて表示する。
【００２０】
図１及び図２に示すように、光環境演出システム１００は、例えば、窓の無い会議室、地下街、トンネルなどの自然の採光を得難い施設の天井、壁等の造営材に設けられる。光環境演出システム１００は、複数の照明装置１と、システム制御部１０８と、第１通信部１５と、端末機器１１０とを備える。システム制御部１０８は、制御部の一例である。照明装置１は各々の第１照明装置及び第２照明装置の一例であり、本実施の形態では５つの照明装置１が造営材に配置されている。第１通信部１５は、通信部の一例である。
【００２１】
複数の照明装置１は、異なる場所の造営材に配置される。本実施の形態では、造営材は、壁部１０１と、壁部１０１と異なる壁部１０２と、壁部１０１、１０２と異なる壁部１０３とを有する。壁部１０１は、紙面左側の壁であり、第２壁部は、壁部１０１と直交する紙面奥側の壁であり、第３壁部は、壁部１０１と対向する紙面右側の壁である。
【００２２】
本実施の形態では、室内の壁部１０１、壁部１０２及び壁部１０３に照明装置１が配置されている。照明装置１の配置は、本実施の形態に限定されず、如何様な配置でもよい。例えば、壁部１０１は西側の壁であり、壁部１０２は北側の壁であり、壁部１０３は東側の壁である。壁部１０２の照明装置１は他の照明装置１と、大きさが異なっているものの、各々の照明装置１はそれぞれ同様の構成であり、他の照明装置１については説明を省略する。
【００２３】
次に、照明装置１の構成について具体的に説明する。
【００２４】
図３に示すように、照明装置１は、照明空間を形成するように造営材に配置され、疑似的に屋外光を感じさせる演出を行うことができる光環境を演出する照明装置である。照明装置１は、例えば、造営材に埋め込まれるように設けられている。
【００２５】
図２及び図３に示すように、照明装置１は、筐体２と、枠部３と、反射板４と、拡散板５と、保持部５１と、庇部５３と、発光モジュール６と、照明制御部８と、第１時計部１２と、第１記憶部１３と、電源部１４とを備える。
【００２６】
筐体２は、扁平な箱体であり、平面視で略矩形状をなしている。なお、筐体２の形状は、平面視で略矩形状に限らず、円形状、多角形状、半円状等の形状でもよく、形状は特に限定されない。また、筐体２の立体形状は、球状体、多面体、円筒状等の形状でもよく、形状は特に限定されない。
【００２７】
筐体２は、少なくとも拡散板５及び発光モジュール６を収容している。筐体２には、Ｙ軸プラス方向側で開放した収容開口部２１ｃが形成されている。筐体２には、照明制御部８、第１時計部１２、第１記憶部１３、電源部１４が収容されていてもよく、照明制御部８、第１時計部１２、第１記憶部１３、電源部１４が筐体２の外側に設けられていてもよい。
【００２８】
筐体２は、略平板状の底壁部２ａと、第１側壁部２ｂと、第２側壁部２ｃと、第３側壁部２ｄと、第４側壁部２ｅとを有する。
【００２９】
底壁部２ａは、収容開口部３ｃと対向し、筐体２のＹ軸マイナス方向側の底壁であり、Ｘ軸方向及びＺ軸方向で規定される平面に対して略平行である。第１側壁部２ｂは、底壁部２ａのＺ軸プラス方向側の端縁に配置された側壁であり、Ｘ軸方向及びＹ軸方向で規定される平面に対して略平行である。第２側壁部２ｃは、底壁部２ａのＺ軸マイナス方向側の端縁に、第１側壁部２ｂと対向配置された側壁であり、第１側壁部２ｂと略平行である。第３側壁部２ｄは、底壁部２ａのＸ軸マイナス方向側の端縁に配置された側壁であり、Ｙ軸方向及びＺ軸方向で規定される平面に対して略平行である。第４側壁部２ｅは、底壁部２ａのＸ軸プラス方向側の端縁に第３側壁部２ｄと対向配置された側壁であり、第３側壁部２ｄと略平行である。
【００３０】
枠部３は、略矩形状をなした平板状の部材であり、その中央部に略矩形状の開口部３３が形成される。枠部３は、収容開口部２１ｃを覆うように、筐体２におけるＹ軸プラス方向側の端縁に設けられる。言い換えれば、枠部３は、平面視で筐体２の外周側と重なるように、筐体２のＹ軸プラス方向側に設けられる。なお、枠部３は、屋外光が差し込んでいるかのような感覚を得るように、窓枠を模したデザインであってもよい。また、枠部３の形状は、矩形状に限らず、円形状、多角形状、半円状等の形状でもよく、形状は特に限定されない。
【００３１】
枠部３における開口部３３の内周面３３ａは、光の反射を抑制する黒色又は青色であってもよい。内周面３３ａは、黒色又は青色に塗られ、光の反射を抑制するように艶消しがなされていてもよい。なお、枠部３が光の反射を抑制する黒色又は青色の材質であってもよい。内周面３３ａを黒色とした場合では、内周面３３ａが光を吸収し易くなる。
【００３２】
透光板３５は、透光性を有し、例えば、略矩形状をなした平板状の部材であり、枠部３の開口部３３を覆うように、枠部３に固定されている。透光板３５は、アクリル及びポリカーボネート等の透光性樹脂材料又は透明なガラス材料等の透光性を有する材料で形成される。なお、透光板３５の形状は、開口部３３に応じて形状が定められ、矩形状に限らず、円形状、多角形状、半円状等の形状でもよく、形状は特に限定されない。なお、透光板３５は、開口部３３に設けられていなくてもよく、必須の構成要件ではない。
【００３３】
反射板４は、略矩形状をなした平板状の部材であり、入射した光を反射する鏡である。反射板４は、筐体２の底壁部２ａのＹ軸プラス方向側の面に設けられる。筐体２の底壁部２ａは、筐体２の収容開口部２１ｃと対向する。反射板４は、鏡面である表面がＹ軸プラス方向側を向くように、筐体２に収容される。
【００３４】
反射板４は、後述する光源６１から直接入射した光、及び、拡散板５の入射面５ａで反射されて入射した光を反射する。なお、反射板４は、入射した光を反射すればよく、黒色等の板等でもよい。なお、反射板４の形状は、長方形状に限らず、円形状、多角形状、半円状等の形状でもよく、形状は特に限定されない。
【００３５】
反射板４は、例えば、ミラーコーティング及び研磨による鏡面仕上げ、微細光学構造、異方性素材などにより実現する。また、反射板４は、例えば、樹脂、ゴム、金属等の部材にアルミ、銀等の金属を蒸着して構成された鏡であってもよい。
【００３６】
図３〜図５に示すように、拡散板５は、平面視で略矩形状の板状の部材である。拡散板５は、反射板４のＹ軸プラス方向側で反射板４の表面と対向配置するように、筐体２内に収容されている。また、拡散板５は、反射板４に対して所定の角度θで傾いた状態で保持部５１により保持されている。拡散板５と反射板４との間隔は、Ｚ軸マイナス方向側からＺ軸プラス方向に向かうにつれて次第に狭まっている。本実施の形態では、拡散板５のＺ軸プラス方向側の端縁が反射板４の表面のＺ軸プラス方向側で当接しているが、拡散板５が反射板４と離間していてもよい。また、拡散板５のＺ軸プラス方向側の端縁は、反射板４と庇部５３とで挟まれるように保持されている。
【００３７】
ここで、所定の角度θは、２°以上４５°以下である。本実施の形態では、拡散板５と反射板４とで構成される所定の角度θを５°としている。
【００３８】
拡散板５は、透光性、及び、光を拡散させる光拡散性を有している。拡散板５は、入射面５ａと、出射面５ｂとを有する。入射面５ａは、例えば、発光モジュール６が出射した光が入射する面である。出射面５ｂは、例えば、入射面５ａから入射した光が拡散板５を透過して出射する面である。
【００３９】
拡散板５は、アクリル、ＰＥＴ（Ｐｏｌｙ  Ｅｔｈｙｌｅｎｅ  Ｔｅｒｅｐｈｔｈａｌａｔｅ）等の樹脂材料、又はガラスを基材としている。拡散板５は、光拡散材が内部に分散された乳白色の拡散パネルであってもよい。このような拡散パネルは、光拡散材を混合した透光性樹脂材料を所定形状に樹脂成型することによって作製してもよい。光拡散材としては、シリカ粒子等の光反射性微粒子を用いてもよい。
【００４０】
また、拡散板５としては、内部に光拡散材を分散させるのではなく、基材となる透明パネルの表面に光拡散材等を含む乳白色の光拡散膜を形成することによって構成されていてもよい。
【００４１】
さらに、拡散板５は、光拡散材を用いるのではなく、拡散加工を施すことによって光拡散性を有するように構成されていてもよい。例えば、シボ加工等の表面処理を施すことによって透明パネルの表面に微小凹凸を形成したり、透明パネルの表面にドットパターンを印刷したりすることによって、光拡散性を有する拡散板５を構成してもよい。この場合、拡散板５では、微小凹凸のテクスチャを視認することができない大きさであることが好ましい。なお、拡散加工する場合であっても、光拡散性を高めるために、さらに光拡散材を拡散板５に含有させてもよい。
【００４２】
本実施の形態では、拡散板５の一例として、入射した光がレイリー散乱を起こすレイリー散乱板を用いてもよい。レイリー散乱板は、透光性のあるアクリル等の樹脂、ガラス材料等を基材とし、内部にナノコンポジット材料を分散させた部材である。ナノコンポジット材料は、例えば、酸化チタン、酸化亜鉛、酸化ジルコニア等の酸化金属である。ナノコンポジット材料の粒子径が光の波長に比べ充分に小さい場合、拡散板５に入射した光は、レイリー散乱を起こす。この拡散板５では、少なくとも波長が４３５ｎｍ以上４９５ｎｍ以下の波長の光をレイリー散乱させてもよい。
【００４３】
保持部５１は、Ｘ軸方向に延在する溝部が形成され、拡散板５を保持する部材であり、第２側壁部２ｃに載置される。保持部５１は、拡散板５のＺ軸マイナス方向側の端縁が溝部に収めることで、拡散板５の移動を抑制している。
【００４４】
庇部５３は、拡散板５のＹ軸プラス方向側かつＺ軸プラス方向側で、第１側壁部２ｂのＺ軸マイナス方向側の面に配置されている。庇部５３は、光の反射を抑制する黒色の部材である。本実施の形態では、庇部５３のＺ軸マイナス方向側の面と枠部３における開口部３３の内周面３３ａとが面一であるが、照明装置１を平面視で庇部５３が枠部３に隠れるように配置されていてもよい。なお、庇部５３は筐体２内に別途設けられているが、第１側壁部２ｂを庇部５３としてもよい。この場合、第１側壁部２ｂのＺ軸マイナス方向側の面を、光を吸収する黒色としたり、光を吸収する黒色の光吸収シートを一様に設けたりしてもよい。
【００４５】
発光モジュール６は、複数の光源６１と、複数の光源６１が実装される配線基板６３とを有するモジュールである。発光モジュール６は、第２側壁部２ｃに載置され、Ｘ軸方向に長尺であり、複数の光源６１がＸ軸方向に並んでいる。発光モジュール６は、反射板４及び拡散板５のＺ軸マイナス方向側で、反射板４と拡散板５との間に配置されている。言い換えれば、発光モジュール６は、光源６１の光軸Ｊが反射板４と拡散板５との間に挟まれる姿勢で配置される。
【００４６】
つまり、光源６１は、拡散板５の背面側で、拡散板５の一方側の端縁に沿うように複数配置される。言い換えれば、光源６１は、反射板４及び拡散板５に向かう光を照射する姿勢で配置される。拡散板５の背面は、拡散板５の入射面５ａの一例である。光源６１は、拡散板５の一方側に配置され、拡散板５の背面を沿うように、拡散板５に青色光を含む光を入射させる。本実施の形態では、光源６１の光軸Ｊは、Ｚ軸プラス方向に向き、拡散板５と交差しているが、反射板４と交差していてもよい。
【００４７】
なお、光源６１が拡散板５の背面を沿うように、拡散板５に青色光を含む光を入射させるとは、光源６１が出射した光が拡散板５の入射面５ａに斜めから入射する光もあることを意味する。
【００４８】
光源６１は、複数の白色光源と、複数の青色光源と、複数の橙色光源とを有する。
【００４９】
なお、光源６１は、青色光を含む光を出射することができればよく、白色光源又は青色光源であってもよい。ここでいう青色光とは、厳密な意味で青色を意味しているのではなく、通常、青色と見える光を意味している。白色光においても、厳密な意味で白色を意味しているのではなく、通常、白色と見える光を意味している。橙色光においても、厳密な意味で橙色を意味しているのではなく、通常、橙色と見える光を意味している。
【００５０】
複数の光源６１は、配線基板６３のＸ軸方向に沿って略等間隔に配列されている。これら光源６１の並び順、列数は、適宜変更することができる。
【００５１】
複数の光源６１は、いわゆるＳＭＤ（Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子であってもよい。ＳＭＤ型のＬＥＤ素子とは、具体的には、樹脂成型されたキャビティの中に発光素子が実装され、キャビティ内に蛍光体含有樹脂が封入されたパッケージ型のＬＥＤ素子である。
【００５２】
複数の光源６１は、照明制御部８により制御されて点灯、調光（明るさの調節）、及び消灯を行う。また、複数の光源６１は、照明制御部８が電源部１４を制御して、調光制御及び調色制御が行われる。
【００５３】
なお、複数の光源６１は、このような構成に限定されるものではなく、配線基板６３上にＬＥＤチップが直接的に実装されたＣＯＢ（Ｃｈｉｐ  Ｏｎ  Ｂｏａｒｄ）型のモジュールが用いられてもよい。また、複数の光源６１が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）、無機ＥＬ等のＥＬ素子等その他の固体発光素子であってもよい。
【００５４】
照明制御部８は、光源６１が出射する光の出力を変更させる。具体的には、照明制御部８は、使用者によるリモコン等を介した制御信号に従って、発光モジュール６の点灯、消灯、調光、調色等の動作を制御する。照明制御部８は、例えば、電源部１４を制御して白色光源の明るさを大きくするととともに、電源部１４を制御して青色光源及び橙色光源の明るさを小さくするといった、白色光源、青色光源及び橙色光源の調光制御を行う。照明制御部８は、発光モジュール６等を制御するための回路等から構成されている。照明制御部８は、入力された信号に応じて発光モジュール６に供給する電流値等を制御するマイクロコンピュータ、プロセッサなど、または専用回路によってこれらの動作を実現する。
【００５５】
照明制御部８は、各々の照明装置１に割り当てられた各々の照明情報を基に、実際の空を模した照明を行う。ここで照明情報は、例えば照明装置１が窓である場合に、この窓を介して実際の空が見えるような疑似的な空模様を照明装置１に再現させる情報である。
【００５６】
このため、例えば、照明制御部８は、第１時計部１２から得た現在時刻に応じた、青空、曇り空、夕焼け空、宵の空等の様々な空の様子を再現する。
【００５７】
例えば、青空を再現する場合に、照明制御部８は、発光モジュール６において、例えば、白色光源の出力を中程度にし、青色光源の出力を中程度よりも大きくさせる。また、橙色光源の出力をゼロにする。この場合、拡散板５において、発光モジュール６側から明るい白色光が出射され、発光モジュール６から遠ざかるに従って次第に明るい青色光が出射される。つまり、拡散板５では、拡散板５の下側から上側に向かうに従って、白色光から次第に青色光に変化するグラデーションの光が出射され、透光板３５の遥か遠くに、実際の青空が広がっているように見える。
【００５８】
また、例えば、曇り空を再現する場合に、照明制御部８は、発光モジュール６において、例えば、白色光源の出力を中程度にし、青色光源の出力を中程度よりも小さくする。また、橙色光源の出力をゼロにする。この場合、拡散板５において、発光モジュール６側から明るい白色光が出射され、発光モジュール６から遠ざかるに従って次第に暗い白色光が出射される。つまり、拡散板５では、拡散板５の下側から上側に向かうに従って、次第に暗くなるように変化するグラデーションの光が出射され、透光板３５の遥か遠くに、実際の曇り空が広がっているように見える。
【００５９】
さらに、例えば、夕焼け空を再現する場合に、照明制御部８は、発光モジュール６における橙色光源の出力を中程度にし、発光モジュール６における白色光源及び青色光源の出力を中程度よりも小さくする。また、橙色光源の出力をゼロにする。この場合、拡散板５において、発光モジュール６側から明るい橙色光が出射され、発光モジュールから遠ざかるに従って次第に暗くなる青色光が出射される。つまり、拡散板５では、拡散板５の下側から上側に向かうに従って、橙色光から次第に青色光に変化し、明るさにおいても次第に暗くなるように変化するグラデーションの光が出射され、透光板３５の遥か遠くに、実際の夕焼け空が広がっているように見える。
【００６０】
また、例えば、宵の空を再現する場合に、照明制御部８は、発光モジュール６において、例えば、白色光源の出力をゼロにさせ又はほぼゼロにさせ、青色光源の出力を中程度よりも小さくする。また、橙色光源の出力をゼロ又はほぼゼロにする。この場合、拡散板５において、発光モジュール６側から暗い青色光が出射され、発光モジュール６から遠ざかるに従ってほとんど光が出射されない。つまり、拡散板５では、拡散板５の下側から上側に向かうに従って、次第に暗くなるように変化するグラデーションの光が出射され、透光板３５の遥か遠くは夜の状態となり、実際の宵の空の状態が広がっているように見える。
【００６１】
照明制御部８は、取得した照明情報を第１記憶部１３に格納する。また、照明制御部８は、過去の照明情報から、現在の季節に応じた発光モジュール６の照明制御を行ってもよい。
【００６２】
第１時計部１２は、照明制御部８に電気的に接続され、現在時刻を示す情報を照明制御部８に出力するタイマである。
【００６３】
第１記憶部１３は、照明制御部８に電気的に接続され、入力された照明情報等が記憶されている記憶装置である。この照明情報は、例えば青空、曇り空、夕焼け空、宵の空等の様々な空の様子を再現するための発光モジュール６を制御する情報である。第１記憶部１３は、端末制御部１１１にプロセッサまたはマイクロコンピュータなどが含まれる場合に、端末制御部１１１が実行する制御プログラムが記憶される記憶装置である。第１記憶部１３は、例えば、半導体メモリによって実現される。
【００６４】
電源部１４は、発光モジュール６を発光させるための電力を生成する電源回路によって構成されている。電源部１４は、例えば、電力系統から供給される電力を、整流、平滑及び降圧等して所定レベルの直流電力に変換し、当該直流電力を発光モジュール６に供給する。
【００６５】
電源部１４は、照明制御部８により制御されることで、発光モジュール６への電力供給をオン及びオフする。例えば、リモコン等の操作部を介して点灯の操作を受けた場合には、照明制御部８は、電源部１４から電力を発光モジュール６に供給し、発光モジュール６の光源６１を点灯させる。また、操作部が消灯の操作を受けた場合に、照明制御部８は、電源部１４からの発光モジュール６への電力の供給を遮断することで、発光モジュール６の光源６１を消灯する。
【００６６】
次に、光環境演出システムのシステム制御部１０８、第１通信部１５及び端末機器１１０について説明する。
【００６７】
システム制御部１０８は、複数の照明装置１に電気的に接続され、各々の照明装置１の動作を制御する。システム制御部１０８は、後述する天空情報に基づいて照明態様を決定し、照明態様に基づいて空を模した照明を各々の照明装置１に行わせる。具体的には、システム制御部１０８は、天空情報に基づいて決定した照明態様から照明情報を生成し、各々の照明装置１に照明情報を送信する。システム制御部１０８は、照明情報に基づいて、各々の照明装置１の点灯、消灯、調光、調色等を行うタイミングを同期させたり、複数の照明装置１のうちの一部について点灯、消灯、調光、調色等の動作をさせたりしてもよい。システム制御部１０８は、各々の照明装置１を制御するための回路等から構成されている。システム制御部１０８は、マイクロコンピュータ、プロセッサなど、または専用回路によってこれらの動作を実現する。
【００６８】
システム制御部１０８は、さらに、少なくとも照明装置１の各々を、設置した方位、設置した高さ、設置した場所に基づいて、複数の照明装置１のうちの太陽に近い方を決定する。そして、システム制御部１０８は、決定した太陽に近い方である、照明装置１及び他の照明装置１のいずれか一方を他方よりも明るく点灯させる。具体的には、壁部１０２に設置されている照明装置１よりも、壁部１０１に設置されている照明装置１の方を明るく点灯させる。また、壁部１０１に設置されている照明装置１において、北側の照明装置１よりも南側の照明装置１を明るく点灯させる。
【００６９】
システム制御部１０８は、天空情報に基づいて、時間の経過とともに各々の照明装置１の照明を変化させる。具体的には、システム制御部１０８は、時間の経過とともに変化する天空情報に連動するように、端末機器１１０から取得した天空情報に基づいて照明態様を連続的又は離散的に決定し、連続的又は離散的に照明情報を生成する。システム制御部１０８は、照明情報を各々の照明装置１における固有の識別情報に対応付ける。システム制御部１０８は、各々の照明装置１に連続的又は離散的に照明情報を送信する。
【００７０】
第１通信部１５は、無線通信により、端末機器１１０から天空情報を受信するアンテナ等の通信インターフェースであり、システム制御部１０８に電気的に接続されている。第１通信部１５は、端末機器１１０から天空情報を受信してシステム制御部１０８に出力する。第１通信部１５は、天空情報を連続的又は離散的に繰り返し受信する。
【００７１】
端末機器１１０は、天空情報をシステム制御部１０８に送信する。端末機器１１０は、情報表示機能を有し、例えば、スマートフォン、タブレット、またはパーソナルコンピュータ等である。端末機器１１０は、複数の照明装置１を操作することが可能な操作端末である。端末機器１１０は、各々の照明装置１における、取付け方位、取付け高さ、設置地域の設定、及び、現在の季節、現在時刻等の設定を行うアプリケーションプログラムを有している。
【００７２】
端末機器１１０は、端末制御部１１１と、第２通信部１１３と、第２時計部１１５と、表示部１１７と、入力部１１９と、第２記憶部１２１と、バーコード読取部１２３とを有する。
【００７３】
端末制御部１１１は、各々の照明装置１に対応する各種天空情報を取得し、取得した天空情報を、第２通信部１１３を介して各々の照明装置１に送信する。具体的には、端末制御部１１１は、各々の照明装置１ごとの取付け方位、取付け高さ、設置地域に応じた天空情報を決定し、決定した天空情報を取得する。天空情報は、例えば照明装置１が窓である場合に、この窓を介して実際の空が見えるような情報であり、太陽の方位と高さとによって決定される空の明るさ及び色合いのうち少なくとも一方を用いる情報である。天空情報は、ネットワークを介して外部のサーバにあるＣＩＥ  Ｓ  ０１１／Ｅ：２００３  ＩＳＯ  １５４６９；２００３（Ｅ）を利用することで簡単に入手することができる。なお、天空情報は、これに限らず、例えば第２記憶部１１５に予め天空情報が記憶されていてもよい。第２記憶部１１５に記憶されている所定の計算式を用いて端末制御部１１１が演算して算出してもよい。
【００７４】
実際の空は、時間の経過とともに刻々と変化するため、端末制御部１１１がその変化に応じた天空情報を連続的又は離散的に取得する。端末制御部１１１は、取得した天空情報を、第２通信部１１３及び第１通信部１５を介してシステム制御部１０８に連続的又は離散的に送信する。
【００７５】
端末制御部１１１は、使用者の好みで、希望の地域の天空情報を取得し、第２通信部１１３及び第１通信部１５を介して取得した天空情報をシステム制御部１０８に送信することができる。つまり、端末制御部１１１が取得する天空情報は、各々の照明装置１の設置地域を実現する照明態様に限定されない。
【００７６】
第２通信部１１３は、無線通信により、第１通信部１５に照明情報を送信するアンテナ等の通信インターフェースであり、端末制御部１１１に電気的に接続されている。第２通信部１１３は、照明情報を連続的又は離散的に繰り返し、各々の照明装置１に送信する。
【００７７】
第２時計部１１５は、端末制御部１１１に電気的に接続され、現在時刻を示す情報を端末制御部１１１に出力するタイマである。
【００７８】
表示部１１７は、液晶ディスプレイ、ＬＥＤディスプレイ、有機ＥＬディスプレイ等のモニタである。表示部１１７は、使用者に複数の照明装置１の操作を促す操作画面を表示する。具体的には、図７に示すように、表示部１１７には、各々の照明装置１を選択するマーク１１８ａ、各々の照明装置１がＯＮ状態又はＯＦＦ状態を選択するマーク１１８ｂ、各々の照明装置１の取付け方位を入力するマーク１１８ｃ、各々の照明装置１の取付け高さを入力するマーク１１８ｄ、光環境演出システムの設置地域を入力するマーク１１８ｅ、季節を入力するマーク１１８ｆ、現在時刻を入力するマーク１１８ｇ、時刻連動をさせるマーク１１８ｈ等が表示される。
【００７９】
また、表示部１１７には、各々の照明装置１の設定を行った後に、照明装置１に照明させたい地域を入力する画面を表示する。この場合、入力部１１９又はリモコンなどの操作部等を介して照明装置１に照明させたい地域が入力される。なお、表示部１１７は、例えば静電容量式等のタッチパネルであってもよい。この場合、表示部１１７が入力部１１９を兼ね備えていてもよい。
【００８０】
入力部１１９は、各々の照明装置１の少なくとも取付け方位、取付け高さ及び取付け位置の情報等を入力する装置である。入力部１１９は、端末制御部１１１と電気的に接続されており、使用者から入力部１１９に入力された情報に基づいて、端末制御部１１１が所定の処理を行う。本実施の形態では、使用者から入力部１１９に入力される情報は、各々の照明装置１の取付け方位、各々の照明装置１の取付け高さ、光環境演出システムの設置地域、現在の季節、現在時刻等である。
【００８１】
また、入力部１１９は、使用者の好みで、光環境演出システム１００が行う照明を実現する希望の地域、季節、時間等を入力することができる操作部を兼ねていてもよい。
【００８２】
第２記憶部１２１は、端末制御部１１１と電気的に接続されており、決定した天空情報等の種々のデータが記憶されている記憶装置である。第２記憶部１２１は、端末制御部１１１にプロセッサまたはマイクロコンピュータなどが含まれる場合に、端末制御部１１１が実行する制御プログラムが記憶される記憶装置である。記憶部は、例えば、半導体メモリによって実現される。
【００８３】
バーコード読取部１２３は、各々の照明装置１に割り当てられているバーコードを読取ることが可能な装置である。バーコード読取部１２３は、読取ったバーコードを端末制御部１１１に送信する。バーコードは、例えば、各々の照明装置１に設けられてもよく、各々の照明装置１の包装容器等に設けられてもよい。
【００８４】
このような照明装置１では、例えば、発光モジュール６の光源６１から出射した光は、拡散板５の入射面５ａから入射して内部を透光して拡散板５の出射面５ｂから拡散されて出射し、一部が入射面５ａで反射して反射板４に向かい、反射板４で反射されて入射面５ａに入射するということが繰り返される。このように、光源６１から出射した光は、拡散板５と反射板４とで、光が拡散と反射とを繰り返して拡散されて出射する。
【００８５】
このように、拡散板５の出射面５ｂからは、光源６１の近くで輝度の高い光が出射され、光源６１から離れるに従い輝度の低い光が出射される。つまり、光源６１から遠ざかるに従って、光の色温度及び輝度が次第に変化するグラデーションのように見える。こうして、拡散板５からは、奥行き感のある実際の青空のような色と輝度の勾配とを感じる光が出射される。
【００８６】
次に、人間が感じる奥行き感について説明する。人間が感じる奥行き感は、輻輳角、焦点調節などの現象により奥行きを感じる。一例をあげると、使用者が前方に存在する第一の物体を見た場合、使用者の右眼と左眼とでは、見える像に差異が生じる。第一の物体と、使用者の右眼及び左眼のなす角度を輻輳角という。また、一例をあげると、使用者が第一の物体よりも更に遠くに存在する第二の物体を見た場合、第二の物体と使用者の右眼及び左眼のなす輻輳角φ２は、輻輳角φ１よりも小さくなる。すなわち、使用者の両眼と第一の物体との間の距離を奥行き距離Ｌ１とし、使用者の両眼と第二の物体との間の距離を奥行き距離Ｌ２としたとき、輻輳角φ１、φ２と、奥行き距離Ｌ１、Ｌ２とは、φ１＞φ２、かつ、Ｌ１＜Ｌ２の関係を満たす。さらに、眼球の焦点調整も奥行き感を知覚する要因の１つである。眼球の焦点調整は、第一の物体及び第二の物体の鮮明な像を得るために、第一の物体及び第二の物体の各々の距離に応じて水晶体の厚みが変化する。水晶体の厚み情報から、第一の物体及び第二の物体の各々までの距離を得る。このように、使用者は、輻輳角及び焦点調整のうちの少なくとも一つを取得して奥行き感を知覚する。
【００８７】
使用者が点灯している照明装置１を見た場合に、拡散板５が反射板４に対して所定の角度θで傾いた状態で保持されているため、拡散板５に使用者の像が映り込んでも使用者にはその像を知覚することができない。また、拡散板５の入射面５ａ側に反射板４が存在しているため、拡散板５と反射板４とによる合わせ鏡の現象により、反射板４には、拡散板５の像が多重に映る。使用者からは、反射板４に映る拡散板５の多重の像が重なって見えるため、拡散板５及び反射板４の距離を認識し難くなる。このため、照明装置１は、奥行き感を知覚する光を出射する。
【００８８】
［動作］
本実施の形態における光環境演出システム１００、光環境演出方法、光環境演出方法をコンピュータに実現させたプログラムについての動作を、図６及び図７を用いて説明する。
【００８９】
図６は、実施の形態に係る光環境演出システム１００の設定手順を示すフローチャートである。図７は、実施の形態に係る光環境演出システム１００の端末機器１１０を示す正面図である。
【００９０】
複数の照明装置１を図１のように配置し、各々の照明装置１に応じた天空情報の設定について説明する。まずは、使用者が端末機器１１０の電源をＯＮ状態にし、照明装置１に割り当てられているバーコードを読み取る状態にする。
【００９１】
図６に示すように、使用者は、端末機器１１０を用いて複数の照明装置１のバーコードを読み取る（Ｓ１）。
【００９２】
次に、端末機器１１０の表示部１１７には、各種のマークが表示される（Ｓ２）。表示部１１７に各種マークが表示された状態を図７に示す。表示部１１７には、各々の照明装置１を選択するマーク１１８ａ、各々の照明装置１がＯＮ状態又はＯＦＦ状態を選択するマーク１１８ｂ、各々の照明装置１の取付け方位を入力するマーク１１８ｃ、各々の照明装置１の取付け高さを入力するマーク１１８ｄ、光環境演出システム１００の設置地域を入力するマーク１１８ｅ、季節を入力するマーク１１８ｆ、現在時刻を入力するマーク１１８ｇ、時刻連動をさせるマーク１１８ｈ等である。
【００９３】
次に、端末制御部１１１は、端末機器１１０のバーコード読取部１２３が読取可能な状態であるか否かを判断する（Ｓ３）。
【００９４】
バーコード読取部１２３が読取可能な状態ではないと、端末制御部１１１が判断した場合（Ｓ３ではＮＯ）に、ステップＳ１に戻る。
【００９５】
一方、バーコード読取部１２３が読取可能な状態であると、端末制御部１１１が判断した場合（Ｓ３ではＹＥＳ）に、端末制御部１１１は、バーコードが読み取られたか否かを判断する（Ｓ４）。
【００９６】
バーコードを読み込むことができないと端末制御部１１１が判断した場合（Ｓ４ではＮＯ）に、ステップＳ４に戻る。つまり、端末制御部１１１は、使用者がバーコード読取部１２３によってバーコードを読取る動作を行うまで、バーコードが読み取られたか否かを逐次判断する。なお、所定時間、バーコードを読取る動作がされない場合は、ステップＳ１に戻ってもよく、このフローを終了してもよい。
【００９７】
バーコードを読み込むことができたと端末制御部１１１が判断した場合（Ｓ４ではＹＥＳ）に、次のステップＳ５に進む。
【００９８】
次に、使用者は、表示部１１７を見ながら、各々の照明装置１を設置した方位を照明装置１ごとに入力部１１９に入力する（Ｓ５）。
【００９９】
次に、使用者は、表示部１１７を見ながら、各々の照明装置１を設置した高さを照明装置１ごとに入力部１１９に入力する（Ｓ６）。
【０１００】
次に、使用者は、表示部１１７を見ながら、各々の照明装置１を設置した場所を照明装置１ごとに入力部１１９に入力する（Ｓ７）。
【０１０１】
次に、使用者は、表示部１１７を見ながら、現在の季節を入力部１１９に入力する（Ｓ８）。
【０１０２】
次に、端末制御部１１１は、時刻の設定が行われたか否かを判断する（Ｓ９）。
【０１０３】
時刻の設定を行っていないと端末制御部１１１が判断した場合（Ｓ９ではＮＯ）に、ステップＳ９に戻る。つまり、端末制御部１１１は、使用者が時刻を入力部１１９に入力するまで、使用者が時刻を入力部１１９に入力していないか否かを逐次判断する。なお、所定時間、時刻の入力がされない場合は、ステップＳ１に戻ってもよく、このフローを終了してもよい。
【０１０４】
時刻の設定が行われたと端末制御部１１１が判断した場合（Ｓ９ではＹＥＳ）に、端末制御部１１１は、第２時計部１１５の時刻を設定し、各々の照明装置１の第１時計部１２の時刻と時刻連動させる時間情報を生成する（Ｓ１０）。一例をあげて説明すると、時刻連動は、例えばシステム制御部１０８が備えるタイマ機能であり、システム制御部１０８が時間情報を受信して各々の照明装置１に出力することで行われる。時間連動により、システム制御部１０８は、タイマ機能により、青空、曇り空、夕焼け空等を切替える点灯モードを有していてもよい。システム制御部１０８は、点灯モードにより、擬似的な青空を再現する光を出射した後に、所定の時間を経過すれば、夕焼け空等を再現する光を出射するように切替える。また、システム制御部１０８は、所定の時間が経過すると、自動的に各々の照明装置１を消灯させてもよい。この場合、タイマ機能と点灯モードとにより、所定の時刻に成れば採光が変化するため、あたかも窓があるかのような採光環境を実現することができる。このような設定は、リモコン等の図示しない操作部を介して行ってもよい。なお、このタイマ機能は、端末制御部１１１及び照明制御部８が有していてもよい。
【０１０５】
次に、端末制御部１１１は、設定完了操作が行われたか否かを判断する（Ｓ１１）。
【０１０６】
設定完了操作が行われていないと端末制御部１１１が判断した場合（Ｓ１１ではＮＯ）に、ステップＳ１１に戻る。つまり、端末制御部１１１は、使用者が入力部１１９を介して設定完了操作をするまで、使用者が設定完了操作をしているか否かを逐次判断する。なお、所定時間、入力部１１９に設定完了操作がされない場合は、ステップＳ１に戻ってもよく、このフローを終了してもよい。
【０１０７】
設定完了操作を行ったと端末制御部１１１が判断した場合（Ｓ１１ではＹＥＳ）に、端末制御部１１１は、ネットワークを介して外部から各々の照明装置１に対応する各々の天空情報を取得する（Ｓ１２）。端末制御部１１１が取得する天空情報は、設置した方位、設置した高さ、設置した場所、季節、設定した時刻等の情報に基づいて決定される。つまり、端末制御部１１１は、各々の照明装置１ごとに入力したこの情報を基に、各々の照明装置１ごとの天空情報を割り当てる。
【０１０８】
次に、端末制御部１１１は、送信スイッチがＯＮ状態にされたか否かを判断する（Ｓ１３）。
【０１０９】
送信スイッチがＯＮ状態にされていないと端末制御部１１１が判断した場合（Ｓ１３ではＮＯ）に、ステップＳ１３に戻る。つまり、端末制御部１１１は、送信スイッチがＯＮ状態になるまで、使用者が送信スイッチをＯＮ状態にしたか否かを逐次判断する。なお、所定時間、入力部１１９に操作がされない場合は、ステップＳ１に戻ってもよく、このフローを終了してもよい。
【０１１０】
そして、送信スイッチがＯＮ状態に操作されると（Ｓ１３ではＹＥＳ）、端末制御部１１１は、各々の天空情報及び各々の時間情報を照明装置１に送信する。そして、このフローを終了する。
【０１１１】
次に、図６及び図７の光環境演出システム１００の設定を行った後に、光環境演出システム１００の点灯動作について、図８を用いて説明する。
【０１１２】
図８は、実施の形態に係る光環境演出システムの動作を示すフローチャートである。
【０１１３】
まずは、使用者が光環境演出システム１００の電源をＯＮ状態にし、光環境演出システム１００の動作を開始する。
【０１１４】
次に、光環境演出システム１００のシステム制御部１０８は、第１通信部１５を介して天空情報を受信したか否かを判断する（Ｓ３１）。第１通信部１５を介して天空情報を受信していないとシステム制御部１０８が判断した場合（Ｓ３１ではＮＯ）は、ステップＳ３１を繰り返す。つまり、システム制御部１０８は、天空情報の受信待機状態となる。
【０１１５】
また、ここでは、システム制御部１０８は、時間情報をも取得する。システム制御部１０８は、時間情報に基づいて端末機器１１０の時刻と各々の照明装置１の第１時計部１２とを連動させるため、時間設定を行う。つまり、システム制御部１０８は、時間情報に基づいて各々の照明装置１の点灯、消灯等のタイミングを同期させるために、第１時計部１２の時刻を設定する。なお、この時間設定は、照明制御部８が行ってもよい。
【０１１６】
第１通信部１５を介して照明情報を受信したとシステム制御部１０８が判断した場合（Ｓ３１ではＹＥＳ）に、システム制御部１０８は、天空情報に基づいて各々の照明装置１の照明態様を決定し、照明態様に基づく照明情報を生成する（Ｓ３２）。生成された照明情報は、システム制御部１０８によって各々の照明装置１の照明制御部８に送信される（Ｓ３２）。
【０１１７】
各々の照明制御部８は、照明情報を第１記憶部１３に記憶させる（Ｓ３３）。
【０１１８】
次に、各々の照明制御部８は、第１記憶部１３に記憶された照明情報に応じた点灯を行わせるように、発光モジュール６を制御する（Ｓ３４）。そして、このフローチャートは、ステップＳ１に戻り同様の動作を繰り返す。
【０１１９】
この動作を繰り返すことで、連続的又は離散的に各々の照明装置１の照明情報が更新されるため、刻々と変化する天空情報に応じた照明を行うことができる。なお、このフローチャートの間で、使用者がシステム制御部１０８の電源をＯＦＦ状態にすれば、各々の照明装置１は消灯する。
【０１２０】
このような光環境演出システム１００では、設定された照明情報に基づいて、各々の照明装置１が天空情報に応じた照明を行う。具体的には、各々の照明装置１が位置する高さ、太陽の方位等によって決定される空の明るさ及び色合いのうち少なくとも一方を模した照明を行う。具体的には、この光環境演出システム１００では、使用者の好みに応じて、端末機器１１０が天球の一部を切り取るかのように、天空情報をＣＩＥから取得し、天空情報から決定した照明を各々の照明装置１によって行う。このため、使用者には、照明装置１を見た場合に、所望の地域における空模様を、窓を介して見ているかのような錯覚を与える。なお、天空情報は、端末制御部１１１が例えば第２記憶部１１５に予め記憶されている所定の計算式を用いて演算して算出されてもよい。
【０１２１】
また、実際の空は、方角によって青色の濃淡、明るさが異なる。具体的には、南側は太陽の影響から青色の濃淡が淡く、南側から西側及び東側を介して北側に向かうに従い、青色の濃淡が次第に濃くなる。また、西側は、太陽の存在する場合に、西側から東側に向かって次第に濃淡が濃くなる。一方、東側に太陽が存在する場合に、西側から東側に向かって次第に濃淡が濃くなる。
【０１２２】
この光環境演出システム１００では、各々の照明装置１の配置場所によって照明が異なるため、方角に適した照明を行えば、南側、北側、西側、東側といった、窓が存在するというイメージを持つことができる。このため、使用者に開放感を与えることでリラックスした状態にさせることができる。
【０１２３】
［作用効果］
次に、本実施の形態における光環境演出システム１００、光環境演出方法及びプログラムの作用効果について説明する。
【０１２４】
上述したように、本実施の形態に係る光環境演出システム１００は、照明空間を形成するように、造営材に配置される照明装置１（第１照明装置）と、照明空間を形成するように、照明装置１と異なる場所の造営材に配置される他の照明装置１（第２照明装置）と、各々の照明装置１の動作を制御するシステム制御部１０８とを備える。そして、システム制御部１０８は、少なくとも太陽の方位と高さとによって決定される空の明るさ及び色合いのうち少なくとも一方を示す天空情報に基づいて照明態様を決定し、照明態様に基づいて空を模した照明を各々の照明装置１に行わせる。
【０１２５】
このように、システム制御部１０８が、少なくとも太陽の方位と高さとによって決定される空の明るさ及び色合いのうち少なくとも一方を示す天空情報に基づいて照明態様を決定し、照明態様に基づいて空を模した照明を各々の照明装置１に行わせる。このため、使用者には、照明装置１を見た場合に、窓を介して空を見ているかのような錯覚を与えることができる。
【０１２６】
したがって、この光環境演出システム１００では、大型化を抑制するとともに、疑似的な空を再現することができる。
【０１２７】
また、本実施の形態に係る光環境演出方法は、照明空間を形成するように、照明装置１を造営材に配置し、照明空間を形成するように、他の照明装置１を照明装置１と異なる場所の造営材に配置する。また、端末機器１１０は、少なくとも太陽の方位と高さとによって決定される空の明るさ及び色合いのうち少なくとも一方を示す天空情報をシステム制御部１０８に送信する。そして、システム制御部１０８は、天空情報に基づいて照明態様を決定し、照明態様に基づいて空を模した照明を行う。また、本実施の形態に係るプログラムは、光環境演出方法をコンピュータに実現させる。
【０１２８】
これらにおいても、光環境演出システム１００と同様の作用効果を奏する。
【０１２９】
また、本実施の形態に係る光環境演出システム１００において、システム制御部１０８は、さらに、少なくとも照明装置１の各々を、設置した方位、設置した高さ、設置した場所に基づいて、各々の照明装置１のうちの太陽に近い方を決定する。そして、システム制御部１０８は、決定した太陽に近い方である、各々の照明装置１のいずれか一方を他方よりも明るく点灯させる。
【０１３０】
このように、太陽に近い方の照明装置１を太陽の遠い方の照明装置１よりも明るく点灯させるため、より自然に近い空を演出することができる。
【０１３１】
また、本実施の形態に係る光環境演出システム１００において、造営材は、壁部１０１と、壁部１０１と異なる壁部１０２とを有する。また、壁部１０１には、照明装置１が配置される。そして、壁部１０２には、他の照明装置１が配置される。
【０１３２】
このように、壁部１０１と壁部１０２とに配置された各々の照明装置１が各々の照明情報に基づいて異なる照明を行うため、各々の照明装置１が天空情報を基に配置地位に応じた照明を行うことができるため、より自然に近い空を演出することができる。
【０１３３】
また、本実施の形態に係る光環境演出システム１００において、システム制御部１０８は、天空情報に基づいて、時間の経過とともに各々の照明装置１の照明を変化させる。
【０１３４】
このように、天空情報に基づいて時間の経過とともに各々の照明装置１の照明を変化させるため、自然の空をそのまま再現することができる。このため、より自然に近い空を演出することができる。
【０１３５】
また、本実施の形態に係る光環境演出システム１００は、さらに、天空情報をシステム制御部１０８に送信する端末機器１１０と、端末機器１１０から天空情報を受信してシステム制御部１０８に出力する第１通信部１５とを備える。
【０１３６】
この構成によれば、第１通信部１５を介して天空情報を取得するため、刻々と変化する自然の天空を、時間の経過とともに再現することができる。
【０１３７】
また、本実施の形態に係る光環境演出システム１００において、端末機器１１０は、各々の照明装置１の少なくとも取付け方位、取付け高さ及び取付け位置の情報を入力する入力部１１９を有する。
【０１３８】
このように、各々の照明装置１の少なくとも取付け方位、取付け高さ及び取付け位置の情報を入力すれば、各々の照明装置１に応じた天空情報から照明情報が割り当てられるため、各々の照明装置１は、各々の照明装置１に対する太陽の方位と各々の照明装置１の高さ応じた照明を行うことができる。
【０１３９】
また、本実施の形態に係る光環境演出システム１００において、照明装置１の各々は、透光性を有する拡散板５と、拡散板５に青色光を含む光を入射させる光源６１と、光源６１を制御する照明制御部８とを有する。そして、照明制御部８は、光源６１が出射する光の出力を変更させる。
【０１４０】
このように、光源６１が出射する光の出力を、照明制御部８が変更させるため、例えば、天空情報で決定された照明態様に基づいて変更することができる。このため、より自然に近い空を演出することができる。
【０１４１】
（その他変形例等）
以上、本発明に係る光環境演出システムついて、実施の形態に基づいて説明したが、本発明は、上記実施の形態に限定されるものではない。
【０１４２】
例えば、上記実施の形態では、天空情報は、天気の情報、太陽の方位及び太陽の高さによって決定される空の明るさ及び色合いのうち少なくとも一方によって決定されてもよい。
【０１４３】
また、上記実施の形態では、システム制御部は、室内にある既存の照明装置と連動していてもよい。この場合、例えば、太陽があると推定される方向と逆の方向に設置されている既存の照明装置の照度を高くするように制御してもよい。これにより、通常の照明空間のように、窓から光が入ってきた後に、室内で反射して、室内の窓から離れている側が明るくなるという情景を再現することができる。
【０１４４】
また、上記実施の形態において、システム制御部の代わりに端末制御部又は照明制御部が天空情報に基づいて照明態様を決定し、端末制御部又は照明制御部が照明態様に基づいて空を模した照明を各々の照明装置に行わせてもよい。端末制御部又は照明制御部が照明態様を決定する場合、照明制御部又はシステム制御部を設けなくてもよい。この場合、端末制御部又は照明制御部は、制御部の一例となる。
【０１４５】
また、上記実施の形態において、第１記憶部が各々の照明装置に設けられているが、システム制御部が第１記憶部を有していてもよい。この場合、第１記憶部に予め天空情報が記憶されていてもよい。システム制御部は、端末機器に入力された各々の照明装置の方位、高さ、場所等の情報を取得し、この情報と使用者が照明を実現する希望の地域、季節、時間等の情報に基づいて天空情報を決定してもよい。
【０１４６】
また、上記実施の形態において、端末装置は、天空情報を取得するが、第２記憶部に予め記憶されていてもよい。端末制御部は、端末機器に入力された各々の照明装置の方位、高さ、場所等の情報を取得し、この情報と使用者が照明を実現する希望の地域、季節、時間等の情報に基づいて天空情報を決定してもよい。
【０１４７】
また、上記実施の形態では、端末機器は、バーコード読取部を介して各々の照明装置の識別情報を取得するが、この方法に限定されない。例えば、ネットワークを介して各々の照明装置の識別情報を取得してもよく、各々の照明装置の識別情報を取得する方法は特に限定されない。
【０１４８】
また、上記実施の形態では、光環境演出システムを平面視した場合の形状は、長方形状であるが、この形状は長方形状に限定されない。例えば、円形状、三角形状等の多角形状、半月形状等であってもよく、これらの形状を組み合わせた形状であってもよい。
【０１４９】
また、上記実施の形態では、光源を覆う拡散カバー（直管型のＬＥＤランプ）が設けられていてもよい。この場合、複数のＬＥＤチップを単に並べて出射する場合に比べ、光源に近接している拡散板に輝度ムラ、色ムラ等が生じ難い。
【０１５０】
また、上記実施の形態では、発光モジュールは、青色光源、白色光源及び橙色光源ごとに発光モジュールを配置してもよい。また、１つの発光モジュールに青色光源、白色光源及び橙色光源を交互に配置してもよい。
【０１５１】
また、上記実施の形態において、拡散板の表面には、光の反射を防止する反射防止膜が被覆されていてもよい。また、透光板の裏面にも、光の反射を防止する反射防止膜が被覆されていてもよい。この場合、透光板の裏面に反射防止膜が被覆されているため、透光板の裏面に入射した光が反射されて拡散板に向かい難い。また、拡散板の表面に反射防止膜が被覆されているため、拡散板の表面に入射した光が反射され、透光板を介して出射され難い。
【０１５２】
その他、実施の形態に対して当業者が思いつく各種変形を施して得られる形態、本発明の趣旨を逸脱しない範囲で実施の形態における構成要素及び機能を任意に組み合わせることで実現される形態も本発明に含まれる。
【符号の説明】
【０１５３】
１  照明装置（第１照明装置、第２照明装置）
５  拡散板
８  照明制御部
１５  第１通信部（通信部）
６１  光源
１００  光環境演出システム
１０１、１０２、１０３  壁部（第１壁部、第２壁部）
１０８  システム制御部（制御部）
１１０  端末機器
１１９  入力部
【図１】
2018170157.tif 000003
【図２】
2018170157.tif 000004
【図３】
2018170157.tif 000005
【図４】
2018170157.tif 000006
【図５】
2018170157.tif 000007
【図６】
2018170157.tif 000008
【図７】
2018170157.tif 000009
【図８】
2018170157.tif 000010